(57)【特許請求の範囲】
【請求項１】
存在検知センサと第１無線送信機とを有する存在検知器と、計時要素と、電気負荷用の端子と、無線受信機とを備え、
前記存在検知器は、少なくとも１つの予め設定可能な第１の信号又は少なくとも１つの第２の予め設定可能な信号を前記第１無線送信機により送信するように構成され、
前記存在検知センサは、前記第１無線送信機と接続され、
前記存在検知センサは、存在を検知した後に、第１の信号を送信させるようにし、
前記無線受信機は、予め設定可能な第１の信号を受信した場合には、スイッチング素子により端子を電気エネルギー源に連結し、または、最後に存在が検知された時点から所定時間が経過した後に、該端子を電気エネルギー源から切り離すように構成し、
前記存在検知器は、前記計時要素を有し、最後に存在が検知された時点から所定時間が経過した後に、予め設定可能な第２の信号を送信させ、前記無線受信機が予め設定可能な第２の信号を受信した場合には、前記端子を前記電気エネルギー源から切り離すように構成し、
前記存在検知器は、電気エネルギーを蓄積する蓄積要素と、検知された存在を符号化する制御装置と、存在検知センサでの電気信号の存在下で前記制御装置を作動させ、この電気信号が減衰した後は前記制御装置の作動を停止する検知回路と、前記蓄積要素に接続され、前記存在検知器に電力を供給する光起電要素とを少なくとも備えたことを特徴とするシステム。
【請求項２】
前記検知回路はパルスモードで作動し、オフ位相がオン位相よりも長いことを特徴とする請求項１記載のシステム。
【請求項３】
前記蓄積要素はコンデンサ及び電気化学エネルギー蓄電池の少なくともいずれか一方であることを特徴とする請求項１又は請求項２記載のシステム。
【請求項４】
前記存在検知センサは赤外線センサとして構成されることを特徴とする請求項１〜３のいずれか１項に記載のシステム。
【請求項５】
前記赤外線センサは、赤外線照射野を集束させるレンズを有することを特徴とする請求項４記載のシステム。
【発明の詳細な説明】
【技術分野】
【０００１】
本発明は、少なくとも１つの存在検知器（presence detector）を備えたシステム及び方法に関する。この存在検知器は無線送信機（radio transmitter）を有する。このシステムは、少なくとも１つの無線受信機（radio receiver）を備えており、この無線受信機は、無線により送信された存在検知器の信号を受信及び評価できるように構成されている。この無線受信機は、その評価に応じて下流装置（downstream devices）に作用する少なくとも１つの装置を備える。例えば、スイッチング素子が、照明装置（lighting unit）のような電気負荷（electrical load）のオン・オフを切り換える（すなわち、電気負荷を電源に連結したり、電気負荷を電源から切り離したりする）。また、本発明は、空間（space）又は領域（area）内の人の存在を検知、感知又は報告する存在検知器に関する。また、本発明は、電気端子を電気エネルギー源（source of electrical energy）に接続するように構成され、この端子に接続された電気負荷に電気エネルギーを供給する無線受信機に関する。
【背景技術】
【０００２】
照明装置や他の電気的に動作する装置のような電気負荷は、例えば、５０〜６０Ｈｚ、２２０〜２３０ＶＡＣとすることが可能な公共電力送電線網（public power supply network）に接続される。この電気負荷は、一般に電気機械スイッチング素子によりオン・オフされることにより、公共電力送電線網により形成されるエネルギー源に完全に接続されるか、又は、エネルギー源から完全に切り離される。このような場合に切り換える負荷は、住居内の電気設備のよく利用される部分である。無線受信機と対応する無線送信機を用いて無線送信信号によりスイッチング動作を行うことが可能である。また、ドイツ国特許第１０３０９３３４号の文献に示されるように、エネルギー自立型動作検知器（energy-autonomous movement detector）を設けることができる。後者は、例えば、その効果範囲内で人の動きにより駆動され、エネルギーが供給される。このエネルギーが供給されると、無線受信機が無線信号を送信する。この送信された無線信号は、周辺における無線送信機に関連する全ての無線受信機により受信でき、各受信機で詳細に評価できる。この評価の後、無線受信機は、この無線送信機に接続されたアドレス可能な受信システムに、データ信号を渡す。これらは、スイッチングのような動作を照明装置又は電気負荷に順に実行する。これにより、照明装置は、検知した動作の結果としてオンされ、電気エネルギーを要求又は使用する。ユーザに電気負荷をオフすること又は電気負荷を電気エネルギー源から切り離すことを許容するスイッチング素子は、照明装置を切るために設けられる。ユーザは、他の事項に気を取られて、スイッチオフにより電気負荷をエネルギー源から切り離し忘れることがあるかもしれない。これにより、他のユーザが気付くまで、電力又は電気エネルギーの不要な消費を招く。
【先行技術文献】
【特許文献】
【０００３】
【特許文献１】ドイツ国特許第１０３０９３３４号
【発明の概要】
【発明が解決しようとする課題】
【０００４】
従って、本発明の目的は、不要な電気負荷を電力網及びエネルギー源から自動的に切り離すことである。
【課題を解決するための手段】
【０００５】
この目的を実行するために、後述する方策（measures）を提供する。この目的を実行するために、請求項１記載のシステムを提供する。この請求項に直接的又は間接的に関連する従属請求項に記載された方策は、上記方策を有利な方法で発展する。
【０００６】
以下、上記システム及び方法を詳細に説明する。また、上記存在検知器及び無線受信機を以下に詳細に説明する。
【０００７】
後述する部品を備えたシステムを提案する。すなわち、このシステムは、少なくとも１つの存在検知器と、少なくとも１つの電気負荷用の端子と、少なくとも１つの無線受信機とを備える。この存在検知器は、少なくとも１つの予め設定可能な第１の信号及び少なくとも１つの第２の予め設定可能な信号を第１無線受信機により送信するように構成される。これらの信号は、存在検知器のセットアップ中又はシステムの最初の据え付け中に、ユーザ又は当業者に種々の信号の選択を許容する装置により設定することができる。これにより、無線範囲内で存在検知器と無線送信機とを確実に結びつけること（unambiguous association）ができる。
【０００８】
存在検知器は、観察領域（observation area）において人の存在を決定するように構成された装置である。この定義は、動く人だけでなく、動いていない又は非常にゆっくり動く人を含む。存在検知器は、これを、例えば、赤外線センサ、特に、受動型の赤外線センサ（ＰＩＲ：passive infrared sensor）として構成される存在検知センサにより達成する。赤外線センサは、赤外線放射又は熱放射を電気信号に変換する。このような受動型の赤外線センサは、動く人を検知するのに特に好ましい。計時要素は、例えば、電子時計（electronic clock）、又は、電気レジスタ（electrical resistor）と接続されたときに所定の放電時間（discharge time）を有する電気コンデンサ（electrical capacitor）である。無線送信機は、情報もしくはデータを含むアナログ信号もしくはデジタル信号を無線伝送（wireless transfer）により送信する電気回路装置又は電気装置である。例えば、無線送信機は送信する信号をいわゆるキャリア信号の上に変調する。このキャリア信号、例えば、高周波電磁波（high-frequency electromagnetic wave）は、送信すべき信号を遠隔地に無線で伝送する。この遠隔地には、送信すべき信号をキャリア信号から切り離す無線受信機が存在し、それを更なる処理用に供給する。
【０００９】
存在検知器の存在検知センサは、第１無線受信機に接続されており、存在を検知した後に、第１無線送信機への開始信号により、第１信号の送信を開始する。存在の検知は、監視空間内において人又は比較的大きな動物の存在を意味すると理解される。存在検知センサの感度（sensitivity）及び／又は応答挙動（response behavior）が調整可能である調整可能性が、存在検知センサに提供される。第１信号は、存在検知センサが応答するたびに再び送信される。予め設定可能な第１の信号を送信してから予め設定可能な時間に亘って存在検知センサの他の応答がない場合、第２の予め設定可能な信号が送信される。この予め設定可能な時間は、システムを設置した後でも調整できる。容易に到達できるように設計された調整の可能性が存在検知センサのこの目的のために提供される。例えば、回転式ポテンショメータ（rotary potentiometer）により提供してもよい。第１の及び第２の予め設定可能な信号は、相互に異なる。これらの信号は、例えば、区別するために２つの異なる周波数で送信された同一の信号持続時間の短いパルスによって提供できる。もしくは２つの信号を信号持続時間又はパルスシーケンスにより相互に異ならすことができる。
【００１０】
無線受信機は、スイッチング素子により、エネルギー源を電気負荷に結合し、又は、エネルギー源を電気負荷から切り離すように構成されている。無線受信機が予め設定可能な第１の信号を受信すると、電気負荷がスイッチング素子により電気エネルギー源に結合され、無線受信機が第２の予め設定可能な信号を受信すると、電気負荷が電気エネルギー源から切り離される。
【００１１】
この解決法は、１以上の利点を兼ね備える。第１に、電気負荷は、存在の検知によりエネルギー源に連結される。電気負荷がエネルギー源に連結又は結合することにより、電気負荷は作動するか、又は、少なくとも作動準備に入る。第２に、予め設定可能な時間に亘って存在しないと決定された場合には、電気負荷がエネルギー源から自動的に切断される。
【００１２】
手動操作スイッチ（manually operated switch）により負荷をオン・オフする可能性は、負荷をオン・オフする追加の可能性としてのシステムの１つの改良で提供される。また、２つのスイッチ位置（開又は閉）を有する有線電気機械スイッチング素子も提供される。これは、トグルスイッチとすることができ、例えば、その第１スイッチ位置が“オン”を意味し、第２スイッチ位置が“オフ”を意味する。このようなトグルスイッチは、開閉接点を備えた電気機械スイッチング素子により形成される。この電磁スイッチング素子は、無線受信機に接続され、回線電位（例えば、２２０−２３０Ｖ）を無線受信機の特に供給電圧入力に接続する。この入力は、２３０ＶＡＣの回線電圧のような所定の電圧レベルがこの入力で存在すると、予め設定可能な第１の信号の受信と同様に、無線受信機により評価されるように設計される。このため、この回線電圧の減少は、第２の予め設定可能な信号の受信のように、無線受信機により評価される。これにより、電気負荷は、有線スイッチング素子又は手動操作スイッチにより、電気エネルギー源に接続されるか、又は、電気エネルギー源から切断される。
【００１３】
有線電磁スイッチング素子は２つの異なる形態の原理で用いることができる。１つの形態では瞬間接触スイッチ（momentary contact switch）として用いられ、他の形態ではロッカースイッチ（rocker switch）として用いられる。瞬間接触スイッチの態様では、短いスイッチングパルスのみが送信される。この先行例と比較して、無線受信機での入力は、短いスイッチングパルスが第１又は第２無線信号として解釈されるように構成される。これは、電気負荷を電気エネルギー源に連結するスイッチング素子の瞬間スイッチ位置に依存する。すなわち、入力での各スイッチングパルスは、出力での状態変化を引き起こす。この出力がゼロＶのとき、入力でのスイッチングパルスは、与えられた位相導電での電位の電気負荷への接続を引き起こす。
【００１４】
回線電圧に接続される代わりに、このスイッチをゼロ電位（potential-free）に設定でき、コンタクトのスイッチ位置（開又は閉）を評価する無線受信機に単に接続できる。例えば、閉スイッチ位置は第１の予め設定可能な無線信号として評価され、開スイッチ位置は第２の設定可能な信号として評価される。
【００１５】
システムでの電気負荷がスイッチによりオンにされると、比較的長い時間の後、又は、予め設定された時間が経過するまでの間、存在検知器により監視される領域に設定された存在が無い場合、存在検知器は無線受信機に第２の予め設定可能な信号を送信する。無線受信機では、これが第１スイッチング素子への信号をもたらし、その結果、電気負荷が電源から切り離される。このため、存在検知器は、最後に存在を検知した後に所定の時間間隔で常に第２の予め設定可能な信号を送信する。これにより、所定時間の間、存在検知センサのエリア内で存在が検知されないときにはいつでも電気負荷を切断することが実現される。負荷がエネルギー源に連結される方法とは独立して、このように負荷がエネルギー源から切り離される。有線スイッチング素子を備えた態様において、どのように電力送電線網又はエネルギー源が負荷に連結されるかに関係無く、それが存在検知器又はスイッチのどちらに起因して発生したかに関係無く、存在検知器は、所定時間の後、無線受信機により負荷を電気エネルギー源（電力送電線網）から切り離すという利点が得られる。
【００１６】
代替的に又は有線スイッチの以前の可能性と組み合わせて、無線スイッチによる予め設定可能な第１の信号の無線受信機への送信の可能性にシステムの改良を提供し、これにより、同様にエネルギー源が電気負荷に連結される。無線スイッチは、追加の設備無しに及び多くの設備費用無しに任意の場所に簡単に配置できるという利点が得られる。ただ無線スイッチにより送信される無線信号の範囲だけを考慮する必要がある。
【００１７】
上述した目的のために、無線スイッチは、作動要素（actuation element）と電磁エネルギー変換器を備え、このエネルギー変換器は作動要素に連結され、入力された機械力が電気エネルギーに変換される。スイッチング処理を実行するためには、どのような場合でも、作動要素への機械力の入力が必要である。このように発生された電気エネルギーは、無線スイッチに組み込まれた第２無線送信機に供給される。無線スイッチは、これにより予め設定可能な第１の信号を送信する。この信号は、上記無線受信機により受信及び評価される。
【００１８】
無線スイッチは、少なくとも１つの作動センサ（actuation sensor）を備えるように構成されることが有利である。この無線スイッチは、第１又は第２の作動方向をそれぞれ検知する第１及び第２の作動センサを備えることが好ましい。どの作動方向が検知されたかに依存して、第１又は第２の予め設定可能な信号が送信される。このため、少なくとも２つの異なる信号を無線受信機に送信でき、これらにより無線受信機にて電気負荷のエネルギー源への結合又は電気負荷の切り離しが再びもたらされることが確実になる。これらの信号は、第１又は第２の予め設定可能な信号にそれぞれ対応する。
【００１９】
存在検知器はエネルギー自立型に設計されること、すなわち、存在検知器が有線電気エネルギー供給から独立していることが有利である。存在検知器及びその部品を作動させるためのエネルギーは、環境から利用可能なエネルギーから供給されるため、作動に電池は不要である。存在検知器の部品は、例えば、検知回路（detector circuit）と、それに接続された存在検知センサと、無線送信機とを含む。エネルギー源は、例えば、１以上の太陽電池のような光電エネルギー変換器によって形成される。この場合、存在検知器でその後に利用可能なエネルギーを蓄積する観点から、検知回路は極めて低電力で動作するように特に設計しなければならない。これは、常にエネルギーが供給されなければならない存在検知器の唯一の部品である。計時要素に常にエネルギーが供給されるのではなく、予め設定可能な第２の信号が送信されるまでの予め設定可能な時間だけエネルギーが供給される。この信号により、存在検知器の全ての不要な部品が遮断される。存在検知センサは、同様にエネルギーを供給しなければならないため、検知回路に接続される。存在検知センサへのエネルギーを節約するために、検知回路の作動モードは、検知回路の時間に亘ってオン位相及びオフ位相を提供することが提案される。オン位相とオフ位相の間で高いデューティー比となるように、オン位相に対してオフ位相が選択される。これにより、存在検知器の最適な長い作動時間を、暗期でも、すなわち、光又は他の環境エネルギーからエネルギーを供給できない位相でも実現できる。
【００２０】
エネルギー自立型動作検知器（energy-autonomous motion detector）は、いわゆる環境エネルギーを電気エネルギーに変換することで得られた電気エネルギーにより作動する。環境エネルギーは、熱、動作又は変換要素により電気エネルギーに変換可能な他の形式のエネルギーのようなエネルギー形式を意味すると理解される。これらは、例えば、熱電要素（thermoelectric elements）、圧電要素（piezoelectric elements）、光起電要素（photovoltaic elements）、ゼーベック要素（Seebeck elements）、焦電要素（pyroelectric elements）又は物理値を分離した電気量に変換する他の要素（other elements）を含む。
【００２１】
送信安全性を増加させるために、存在検知センサ又は無線スイッチの無線信号は、大きなバンド幅で及び／又は時系列に送信される。
【００２２】
上述したシステムでは存在検知センサ上／存在検知センサ内に計時要素が配置されているのに対して、後述するシステムは無線受信機上／無線受信機内に計時要素が配置されている点で両者は相違する。２つの追加の特徴は、結果としてこの相違となる。無線受信機上／無線受信機内の計時要素の配置は、存在検知器から無線受信機への第２の予め設定可能な信号のいかなる送信も必要としない。これは、電気負荷用の端子からの電気エネルギー源の切り離しが計時要素の計時的な終点に達することにより開始されることに起因する。
【００２３】
さらに、上記問題を解決するこのシステムが追加的に提案される。このシステムは、上述したシステムとある特徴において相違しており、後述する特徴を備えている。このシステムは、同様に、少なくとも１つの存在検知器と、電気負荷用の少なくとも１つの電気端子と、少なくとも１つの無線受信機とを備えている。存在検知器自体が、少なくとも１つの存在検知センサと少なくとも１つの第１無線送信機とを備えており、この存在検知器は、この第１無線送信機により少なくとも１つの予め設定可能な第１の信号を送信するように構成されている。この信号は、存在検知器のセットアップ中又はシステムの最初の据え付け中に、ユーザ又は当業者に種々の信号の選択を許容する装置により設定することができる。これにより、無線範囲内で存在検知器と無線送信機とを確実に結びつけることができる。
【００２４】
存在検知器の存在検知センサは第１無線送信機に接続されており、第１無線送信機への開始信号により、存在検知後に第１信号の送信が達成される。存在の検知は、監視空間内において人又は比較的大きな動物の存在を意味すると理解される。存在検知センサの感度及び／又は応答挙動が調整可能である調整可能性が、存在検知センサに提供される。
【００２５】
無線受信機は、スイッチング素子により、電気負荷用の電気端子を電気エネルギー源に結合し、又は、それを切り離すように構成されている。無線受信機が予め設定可能な第１の信号を受信すると、電気負荷がスイッチング素子により電気エネルギー源に結合される。無線受信機は計時要素を備えている。予め設定可能な第１の信号が最後に受信された時点から予め設定可能な時間が経過した後、無線受信機は電気端子を電気エネルギー源から切り離す。
【００２６】
この解決法は、１以上の利点を兼ね備える。第１に、電気負荷は、存在の検知によりエネルギー源に連結され。電気負荷がエネルギー源に連結又は結合されるため、電気負荷は作動するか、又は、少なくとも作動準備に入る。第２に、予め設定可能な時間に亘って存在を検知できないと、電気負荷がエネルギー源から自動的に切断される。このシステムでは計時要素が無線受信機に配置されているため、位置検知器のエネルギーの節約を達成できる。このため、計時要素は、位置センサでの少ないエネルギー源に負担をかけない。上述したシステムに関連して、動作検知器は、第２の予め設定可能な信号の送信の負担から追加的に解放される。
【００２７】
手動操作スイッチ（manually operated switch）により負荷をオン・オフする可能性は、負荷をオン・オフする追加の可能性としてのシステムの１つの改良で提供される。ここで、２つのスイッチ位置（開又は閉）を有する有線電気機械スイッチング素子が提供される。これは、例えば、トグルスイッチとすることができ、その第１スイッチ位置が“オン”を意味し、第２スイッチ位置が“オフ”を意味する。このようなトグルスイッチは、開閉接点を備えた電気機械スイッチング素子により形成される。この電磁スイッチング素子は、無線受信機に接続され、回線電位（例えば、２２０−２３０Ｖ）を無線受信機の特に供給電圧入力に接続する。この入力は、２３０ＶＡＣの回線電圧のような所定の電圧レベルがこの入力で存在すると、予め設定可能な第１の信号の受信と同様に、無線受信機により評価されるように設計される。このため、この回線電圧の減少は、第２の予め設定可能な信号の受信のように、無線受信機により評価される。これにより、計時要素において予め設定可能な時間の作動が開始され、無線受信機は、電気端子を電気エネルギー源から切り離す。この処理は、予め設定可能な第１の信号の受信により遮断され、再度開始される。
【００２８】
有線電磁スイッチング素子は２つの異なる形態の原理で用いることができる。１つの形態では瞬間接触スイッチとして用いられ、他の形態ではロッカースイッチとして用いられる。瞬間接触スイッチの態様では、短いスイッチングパルスのみが送信される。この先行例と比較して、無線受信機での入力は、短いスイッチングパルスが第１又は第２無線信号として解釈されるように構成される。これは、電気負荷を電気エネルギー源に連結するスイッチング素子の瞬間スイッチ位置に依存する。回線電圧に接続される代わりに、このスイッチをゼロ電位に設定でき、コンタクトのスイッチ位置（開又は閉）を評価する無線受信機に単に接続できる。
【００２９】
上記システムの電気負荷がスイッチング素子によりオン操作され、比較的長い時間又は予め設定可能な時間が経過するまで存在検知センサにより監視される領域において存在検知センサの反応が無い場合、無線受信機は第１スイッチング素子に信号を供給し、電気負荷がエネルギー源から切り離される。このため、存在検知器は、最後に存在を検知した後に所定の時間間隔で常に第２の予め設定可能な信号を送信する。これにより、所定時間の間、存在検知センサのエリア内で存在が検知されないときにはいつでも電気負荷を切断することが実現される。負荷がエネルギー源に連結される方法とは独立して、このように負荷がエネルギー源から切り離される。有線スイッチング素子を備えた態様において、どのように電力送電線網又はエネルギー源が負荷に連結されるかに関係無く、それが存在検知器又はスイッチのどちらに起因して発生したかに関係無く、存在検知器は、所定時間の後、無線受信機に負荷を電気エネルギー源（電力送電線網）から切り離すという利点が得られる。
【００３０】
代替的に又は有線スイッチの以前の可能性と組み合わせて、無線スイッチによる予め設定可能な第１の信号の無線受信機への送信の可能性にシステムの改良を提供し、これにより、同様にエネルギー源が電気負荷に連結される。無線スイッチは、追加の設備無しに及び多くの設備費用無しに任意の場所に簡単に配置できるという利点が得られる。ただ無線スイッチにより送信される無線信号の範囲だけを考慮する必要がある。
【００３１】
上述の目的のため、無線スイッチは、作動要素と、この作動要素に連結された電磁エネルギー変換器とを備え、手動操作スイッチを操作する場合に必要な機械力が作動要素に入力されたとき、この入力された機械力は電気エネルギーに変換される。これにより発生した電気エネルギーは、無線スイッチに組み込まれた第２無線送信機に供給される。無線スイッチは、これにより予め設定可能な第１の信号を送信する。この信号は、無線受信機により受信及び評価される。
【００３２】
無線スイッチは、少なくとも１つの作動センサ（actuation sensor）を備えるように構成されることが有利である。この無線スイッチは、第１又は第２の作動方向をそれぞれ検知する第１及び第２の作動センサを備えることが好ましい。どの作動方向が検知されたかに依存して、第１又は第２の予め設定可能な信号が送信される。このため、少なくとも２つの異なる信号を無線受信機に送信でき、これらにより無線受信機にて電気負荷のエネルギー源への結合又は電気負荷の切り離しが再びもたらされることが確実になる。
【００３３】
存在検知器はエネルギー自立型に設計されること、すなわち、存在検知器が有線電気エネルギー供給から独立していることが有利である。存在検知器及びその部品を
【００３４】
送信安全性を増加させるために、存在検知センサ又は無線スイッチの無線信号は、高い周波数帯域ド幅で及び／又は時系列に送信される。
【００３５】
また、上記問題は、存在検知器により解決される。この存在検知器は、少なくとも１つの存在検知センサ及び少なくとも１つの第１無線送信機を備え、この第１無線送信機により少なくとも１つの予め設定可能な第１の信号と少なくとも１つの第２の予め設定可能な信号とを送信するように構成されている。これらの信号は、装置により予め設定できる。
これにより、存在検知器の無線範囲内で存在検知器と無線受信機とを確実に結びつけることができる。
【００３６】
また、上記問題は、無線受信機により解決される。この無線受信機は、スイッチング素子により電気負荷用の電気端子を電気エネルギー源に連結し、又は、それを切り離すように構成される。無線受信機が予め設定可能な第１の信号を受信すると、電気負荷はスイッチング素子により電気エネルギー源に連結される。無線受信機は、計時要素を備えている。予め設定可能な第１の信号が最後に受信された時点から予め設定可能な時間が経過した後、無線受信機は電気端子を電気エネルギー源から切り離す。第１の予め設定可能な無線信号を新たに受信すると、この計時要素は、リセットされ、予め設定可能な時間の計時を再開する。すなわち、予め設定可能な時間予め設定可能な無線信号が受信されなかったときのみ、電気端子は、無線受信機により電気エネルギー源から切り離される。
【図面の簡単な説明】
【００３７】
【図１】存在検知器、無線受信機及び負荷を備えたシステムを示す図。
【図２】存在検知器、無線受信機、負荷及び有線スイッチを備えたシステムを示す図。
【図３】存在検知器、無線受信機、負荷、有線スイッチ及び無線スイッチを備えたシステムを示す図。
【図４】存在検知器、無線受信機、負荷及び無線スイッチを備えたシステムを示す図。
【図５】無線受信機及びその従属部品を模式的に示す図。
【図６】存在検知器、無線受信機及び負荷を備えたシステムを示す図。
【図７】存在検知器、無線受信機、負荷及び有線スイッチを備えたシステムを示す図。
【図８】存在検知器、無線受信機、負荷、有線スイッチ及び無線スイッチを備えたシステムを示す図。
【図９】存在検知器、無線受信機、負荷及び無線スイッチを備えたシステムを示す図。
【図１０】無線受信機及びその従属部品を模式的に示す図。
【図１１】処理順序を示す図。
【図１２】処理順序を示す図。
【発明を実施するための形態】
【００３８】
図１は、存在検知器ＢＭ及び無線受信機ＦＥを備え、無線受信機ＦＥが電気エネルギー源Ｅに接続されたシステムの実施形態を示す。この実施形態及び後の実施形態において、電気エネルギー源Ｅは２２０〜２３０ＶＡＣ網からの電力送電線網により形成される。そこには位相導線Ｌ及び中性線Ｎが設けられている。これら位相導線Ｌと中性線Ｎとの間には電位差（potential difference）が存在する。電気負荷Ｖは、無線受信機ＦＥにより位相導線Ｌの電位に接続可能な端子Ａにより、電気エネルギー源Ｅに連結可能である。これは、無線受信機ＦＥと、電気エネルギー源Ｅに連結された第１スイッチング素子ＳＥ１とを用いて行われる。このため、第１スイッチング素子ＳＥ１は電気エネルギー源Ｅの位相導線Ｌに接続されている。第１スイッチング素子ＳＥ１が接点を閉じると、位相導線Ｌとその電位とが端子点Ａに接続されて電気負荷Ｖに利用可能となる。このスイッチング状態において、電気負荷Ｖに電気エネルギーが供給される。第１スイッチング素子ＳＥ１は無線受信機ＥＥに連結され、無線受信機ＥＥにより第１スイッチング素子ＳＥ１が開操作又は閉操作されるようになっている。無線受信機は、無線信号を受信して無線受信機に供給することが可能なアンテナＡＮＴを有する。無線受信機それ自体は、位相導線Ｌと中性線Ｎの間のエネルギー源Ｅに接続されている。
【００３９】
存在検知器ＢＭは、無線受信機から離れた設置場所（installation site）に配置されている。存在検知器ＢＭは、蓄積要素３により自己にエネルギーを供給する。このため、存在検知器は、有線エネルギー源（hardwired energy source）から独立している。蓄積要素３は、環境エネルギーを電気エネルギーに変換するエネルギー変換器に接続されている。このようなエネルギー変換器は、本実施形態では、光を電気エネルギーに変換する太陽電池により形成される太陽モジュールＳＭにより形成される。これにより得られた電気エネルギーは蓄積要素３に供給される。蓄積要素３と検知回路１２との間の電気接続により、蓄積要素３の電気エネルギーが検知回路１２の動作に利用可能となる。検知回路１２は、存在検知器ＢＭの追加部品にエネルギーを供給するように構成されている。これにより、存在検知センサＢＳ、制御回路及び第１無線送信機ＦＳ１、接続されたアンテナ、並びに、計時要素Ｔが検知回路に接続される。送信アンテナＡｎｔは、第１無線送信機に接続されている。無線送信機の周波数決定部品は、表面波共振器１４である。
【００４０】
存在検知センサＢＳは、例えば、赤外線センサとして構成され、存在検知センサＢＳの範囲内の人の存在が電気信号により検知装置に送信されるようになっている。この赤外線センサの適切な調整及び較正を行うと、人が僅かしか動かない場合や全く動かない場合でも、人の存在を検知することができる。存在検知器ＢＭの検知回路１２は、この信号を評価し、それを制御回路５に転送する。この制御回路５は、存在検知センサＢＳが存在を検知したときにのみ、検知回路１２によりエネルギーが供給される。これにより、制御回路５は、存在検知センサＢＳの情報を、アンテナを介して無線送信機ＦＳ１により発せられる信号に変換し始める。存在検知器が領域内で存在を検知すると、予め設定可能な第１の信号Ｓ１が送信される。
【００４１】
検知回路１２に連結された計時要素は、存在が検知されると“ゼロ”にリセットされ、存在検知センサＢＳにより存在が検知されるとすぐに所定時間の作動を再開する。計時要素Ｔは、予め設定可能な時間ｔに亘って作動し、予め設定可能な時間ｔが終了した後に予め設定可能な時間の終了に関する信号を検知回路１２に送信する。この情報により、制御回路５並びに下流の表面波共振器１４を有する第１無線送信機ＦＳ１及びアンテナＡｎｔが検知回路１２により作動される。終了した時間ｔの情報から、制御回路５は、無線送信機ＦＳ１及び接続されたアンテナＡｎｔを介して発せられる第２の予め設定可能な信号Ｓ２を形成する。
【００４２】
このように、存在に応じて予め設定可能な第１の信号Ｓ１、又は、存在が検知されない時間ｔに応じて第２の予め設定可能な信号Ｓ２を送信するエネルギー自立型の存在検知器ＢＭが作られる。送信された第１及び第２の予め設定可能な信号Ｓ１、Ｓ２は、アンテナＡｎｔを介して無線受信機ＦＥにより受信される。無線受信機ＦＥは、受信した信号を評価し、それらから信号Ｓ１又は信号Ｓ２の何れが受信されたかを決定する。
【００４３】
無線受信機ＦＥが予め設定可能な第１の信号Ｓ１を受信すると、無線受信機ＦＥによってスイッチング素子ＳＥ１が閉じられ、これにより、負荷Ｖをエネルギー源Ｅ及び位相導線Ｌの電位に接続するために、スイッチング素子ＳＥ１が出力Ａに接続される。これにより、端子Ａと中性線Ｎとの間に配置された負荷は、電気エネルギーを利用可能になる。無線受信機が第２の予め設定可能な信号Ｓ２を受信すると、無線受信機は第１スイッチング素子ＳＥ１を開操作し、これにより、端子Ａでの電気エネルギーが切断され、電気負荷Ｖが電気エネルギー源Ｅから切り離される。
【００４４】
システムの個々の従属部品の相互の配置は、図１に模式的に示される。例えば、設備（installation）は以下のように配置できる。無線受信機は、位相導線及び中性線が直接入ってくる壁コンセント（wall socket）内に配置される。電気負荷、例えば、照明装置は、部屋の天井に配置され、出力Ａ及び中性線に接続される。存在検知器は、遠く離れて、例えば、部屋の扉と反対側の壁に配置され、その範囲内の空間全体をカバーする。部屋の扉を介してこの空間に人が入ると、上述した原理に従って、天井の照明がオンにされる。人が部屋から去ると、もはや存在を検知できない。存在が最後に検知された後、計時要素は、予め設定可能な時間の作動を開始する。この時間が経過したとき、照明装置はオフにされる。存在検知器の設置場所の選択は、その範囲及び監視する空間に依存する。存在検知器がエネルギー自立型に設計されているため、それを既存のエネルギー設備から完全に独立して配置できる。
【００４５】
図２は、図１で既に示したシステム構成を示しており、図２の実施形態では、図１に示された形態と比較して、電気負荷のオン・オフを切り換える代替の可能性として、第２電気機械スイッチング素子ＳＥ２を追加的に備えている。スイッチング素子ＳＥ２は、本実施形態では、位相導線Ｌに接続され、常時開接点（normally open contact）として構成されている。これにより、位相導線Ｌの電位が、第２電気機械スイッチング素子により、無線受信機の入力Ｅに印加される。無線受信機は、出力Ａと関連して、上述した入力Ｅでの位相電位が予め設定可能な信号Ｓ１を用いて同等となるように構成されている。これにより、入ってくる位相電位は、予め設定可能な第１の信号Ｓ１を受信したときと同じ無線受信機内での評価結果を導く。上述したように、これは、無線受信機が第１スイッチング素子ＳＥ１により負荷を電気エネルギー源に連結させる結果となる。
【００４６】
ここで、空間に入ってきたときには電気負荷をオンにでき、空間に入っていないときには電気負荷をオフできるという利点が得られる。空間を去るときに使用者がスイッチング素子ＳＥ２を作動し忘れたときに、存在検知器の計時要素は、予め設定可能な時間ｔが経過した後、この存在検知器により照明が自動的に消されるという効果を有する。予め設定可能な時間ｔが経過した後、存在検知器ＢＭは、第２の予め設定可能な信号Ｓ２を無線受信機に送信する。
【００４７】
第２電気機械スイッチング素子ＳＥ２の上述した実施形態の代替的な実施形態は、瞬時接触スイッチである。本実施形態において、入力Ｅは、各切り換え処理の押操作時間のみ、位相導線Ｌの電位を受信する。この短いスイッチングパルスは、出力Ａの状態に応じて、無線受信機ＦＥにおいて評価される。すなわち、入力Ｅでの各スイッチングパルスは、出力Ａでの状態変化をもたらす。出力Ａでの電位がゼロのとき、入力Ｅでのスイッチングパルスは、位相導線Ｌの電位の電気負荷Ｖへの接続をもたらす。
【００４８】
図３は、エネルギー自立型無線スイッチＦＳＴをシステムに追加する点で、図１及び図２に示した実施形態に対して拡張された他の実施形態を示す。このエネルギー自立型無線スイッチＦＳＴは、力Ｆが作動要素ＢＥに働いたとき、電気機械エネルギー変換器ＥＭＷを同様に作動するように構成されている。作動要素ＢＥと電気機械エネルギー変換器ＥＭＷの機械的な連結に起因して、入力された力Ｆは、少なくとも所定の程度まで電気エネルギーに変換される。第１の又は第２の予め設定可能な信号Ｓ１、Ｓ２は、この電気エネルギーを用いてそれぞれ送信される。このため、無線スイッチは、同様にこの電気エネルギーを用いて作動する少なくとも１つの制御回路５を備えている。少なくとも１つの第１の作動センサＢＴ１又は少なくとも１つの第２の作動センサＢＴ２は、それぞれ制御回路５に接続されている。作動要素ＢＥの作動方向に依存して、第１の又は第２の作動センサＢＴ１、ＢＴ２が検知する。作動方向はこのように決定できる。第１の作動センサＢＴ１が検知したとき、予め設定可能な第１の信号Ｓ１が送信される。第２の作動センサＢＴ２が検知したとき、第２の予め設定可能な信号Ｓ２が送信される。実際の例に移ると、無線スイッチは、ロッカーを備えたトグルスイッチと似ている。このロッカーは、“オン”用の第１スイッチング方向と、“オフ”用の第２スイッチング方向とを有する。この作動センサはそれぞれスイッチング方向を検知し、下流の制御回路５がこの情報を作動センサにより第２無線送信機ＦＳ２に送信するようにしている。第２無線送信機ＦＳ２は、この情報を無線信号により、第２無線送信機ＦＳ２に接続されたアンテナＡｎｔに送信する。接点を閉じることにより対応する情報を制御回路に利用可能とする単純な瞬時接触スイッチが、作動センサとして好ましい。この接触スイッチ自体は、エネルギー不要又は電位不要のスイッチング素子である。
【００４９】
表面波共振器１４が、周波数決定手段として第２無線送信機内に設けられている。無線スイッチは、既存の電気設備とは独立して、空間内の任意の場所に配置又は設置できるという利点が得られる。表面波共振器１４は、存在検知器の構造と同じ構造にできる。受信信号が存在検知器ＢＭ又は無線スイッチＦＳＴの何れから送信されたかを決定するために、無線受信機ＦＥでのキャリア周波数（carrier frequencies）を区別する必要はない。
【００５０】
図３は、負荷をエネルギー源に連結するため又はエネルギー源の連結を制御するため、及び、存在が無く予め設定可能な時間が経過した場合に負荷をエネルギー源から切り離すための可能性のある変形を含んでいる。
【００５１】
図４は、図３のシステムと類似するシステムを表しているが、有線スイッチング素子ＳＥ２が除去されており、その機能は無線スイッチＦＳＤに引き継がれている。図４の実施形態は、有線スイッチング素子ＳＥ２がかなりの設備費用を必要とする設備に対して好ましく、これによりシステム全体としての機能を損なうことなく設備コストを節約できる。
【００５２】
図５は、無線受信機ＦＥ及びその部品を模式的に示す。無線受信機ＦＥはエネルギー源Ｅと直接連結されており、電力供給装置（power supply unit）ＰＵは交流電流によって入力された電気エネルギーを無線受信機ＦＥの電気部品用に適したＤＣ電圧に変換するようにしている。すなわち、無線受信機の無線モジュールは、制御装置ＳＴＥやスイッチング素子ＳＥ１と同様に、電力供給装置ＰＵにより電気エネルギーが供給される。受信した無線信号が無線モジュールＦに送られるアンテナＡｎｔが無線モジュールＦに連結される。無線モジュールＦは、無線信号を復調し、実際に送信される信号Ｓ１又はＳ２からキャリア周波数（carrier frequencies）を切り離し、信号Ｓ１又はＳ２を制御装置ＳＴＥに中継する。制御装置ＳＴＥは、入力信号Ｓ１又はＳ２を評価し、スイッチング信号を第1スイッチング素子ＳＥ１に送信する。スイッチング素子ＳＥ１は、リード接点（reed contact）又はリレー接点（relay contact）であってもよい。本実施形態では、接点の一端が電力送電線網の位相導線に連結され、接点の他端に電気負荷が接続されている。接点が閉じると、位相導線の電位が負荷に接続される。出力Ａにおいて接続されると共に電力送電線網の中性線に連結された電気負荷は、接点が閉じたときに電力送電線網により供給された電気エネルギーが利用可能となる。
【００５３】
図６は、存在検知器ＢＭ及び無線受信機ＦＥを備えたシステムの他の実施形態を示す。この実施形態も同様に、無線受信機ＦＥは電気エネルギー源Ｅに接続されている。本実施形態及び後の実施形態では、電気エネルギー源は、２２０〜２３０ＶＡＣ網からの電力送電線網により形成される。そこには位相導線Ｌ及び中性線Ｎが設けられている。これら２つの導線間には電位差が存在する。電気負荷Ｖは、無線受信機ＦＥにより位相導線Ｌの電位に接続可能な端子Ａにより、電気エネルギー源Ｅに連結可能である。これは、無線受信機ＦＥと、電気エネルギー源Ｅに連結された第１スイッチング素子ＳＥ１とを用いて行われる。このため、第１スイッチング素子ＳＥ１は電気エネルギー源Ｅの位相導線Ｌに接続されている。第１スイッチング素子ＳＥ１が接点を閉じると、位相導線Ｌとその電位とが端子点Ａに接続されて電気負荷Ｖに利用可能となる。このスイッチング状態において、電気負荷Ｖに電気エネルギーが供給される。第１スイッチング素子ＳＥ１は無線受信機ＥＥに連結され、無線受信機ＥＥにより第１スイッチング素子ＳＥ１が開操作又は閉操作されるようになっている。無線受信機は、無線信号を受信して無線受信機に供給することが可能なアンテナＡＮＴを有する。無線受信機それ自体は、位相導線Ｌと中性線Ｎの間のエネルギー源Ｅに接続されている。本実施形態において、無線受信機ＦＥは、計時要素を備えるか、又は、計時要素に連結される。計時要素は、最後に受信してからの経過時間を決定し、予め設定可能な時間が過ぎた後にスイッチング信号を送信する。
【００５４】
存在検知器ＢＭは、無線受信機から離れた設置場所に配置されている。蓄積要素３により自己にエネルギーを供給する。このため、存在検知器は、有線エネルギー源から独立している。蓄積要素３は、物理的環境条件（physical environmental conditions）を電気エネルギーに変換するエネルギー変換器に接続されている。このようなエネルギー変換器は、模式的に図示された太陽モジュールＳＭにより形成される。これらは、例えば、光を電気エネルギーに変換する太陽電池である。これにより得られた電気エネルギーは蓄積要素３に供給される。蓄積要素３の電気エネルギーは、蓄積要素３と検知回路１２との間の電気接続により、検知回路１２の動作に利用可能となる。検知回路１２は、存在検知器ＢＭの追加部品にエネルギーを供給するように構成されている。これにより、存在検知センサＢＳ、制御回路及び第１無線送信機ＦＳ１、並びに、接続されたアンテナが、検知回路に接続される。送信アンテナＡｎｔは、第１無線送信機に接続されている。無線送信機の周波数決定部品は、表面波共振器１４である。
【００５５】
存在検知センサＢＳは、例えば、赤外線センサとして構成され、存在検知センサＢＳの範囲内の人の存在が電気信号により検知装置に送信されるようになっている。この赤外線センサの適切な調整及び較正を行うと、人が僅かしか動かない場合や全く動かない場合でも、人の存在を検知することができる。存在検知器ＢＭの検知回路１２は、この信号を評価し、それを制御回路５に転送する。この制御回路５は、存在検知センサＢＳが存在を検知したときにのみ、検知回路１２によりエネルギーが供給される。これにより、制御回路５は、存在検知センサＢＳの情報を、アンテナを介して無線送信機ＦＳ１により発信される信号に変換し始める。存在検知器が領域内で存在を検知すると、予め設定可能な第１の信号Ｓ１が送信される。
【００５６】
このように、人の存在に応じて、予め設定可能な第１の信号Ｓ１を送信するエネルギー自立型の存在検知器ＢＭが作られる。送信された予め設定可能な第１の信号Ｓ１は、無線受信機ＦＥ及び後者のアンテナＡＮＴにより受信される。無線受信機ＦＥは、受信した信号を評価し、それらから信号Ｓ１が受信されたことを決定又は認識する。無線受信機ＦＥが予め設定可能な第１の信号Ｓ１を受信すると、無線受信機ＦＥによってスイッチング素子ＳＥ１が閉じられ、これにより、負荷Ｖをエネルギー源Ｅに接続するために、位相導線Ｌの電位が出力Ａに接続される。これにより、端子Ａと中性線Ｎとの間に配置された負荷は、電気エネルギーを利用可能になる。
【００５７】
無線受信機ＦＥに連結された計時要素は、それぞれの予め設定可能な第１の信号Ｓ１が受信されると“初期値（starting value）”にリセットされ、所定時間ｔの作動を開始する。それぞれの予め設定可能な信号Ｓ１が受信されると、これを繰り返す。全体の予め設定可能な時間ｔが“最終値（final value）”まで経過した後にのみ、計時要素は、無線受信機ＦＥに、電気エネルギー源Ｅを端子Ａ及び電気負荷Ｖから切り離す信号を発する。
【００５８】
システムの個々の従属部品の相互の配置は、図６に模式的に示される。例えば、設備は以下のように配置できる。無線受信機は、位相導線及び中性線が直接接続される壁レセプタクル（wall receptacle）内に配置される。電気負荷、例えば、照明装置は、部屋の天井に配置され、出力Ａ及び中性線に接続される。存在検知器は、それらから遠く離れて、例えば、部屋の扉と反対側の壁に配置され、その範囲内の空間全体をカバーする。部屋の扉を介してこの空間に人が入ると、上述した原理に従って、天井の照明がそれ自身でオンする。人が部屋を去ると、もはや存在を検知できない。存在が最後に検知されたとき、計時要素は、予め設定可能な時間の作動を開始する。この時間が経過すると、照明装置はオフにされる。存在検知器の設置場所の選択は、理想的にはその範囲及び監視する空間に導かれる。存在検知器がエネルギー自立型に設計されているため、それを既存のエネルギー設備から完全に独立して配置できる。
【００５９】
図７は、図６で既に示したシステム構成を示しており、図７の実施形態では、図１に示された形態と比較して、電気負荷のオン・オフを切り換える代替の可能性と、第２電気機械スイッチング素子ＳＥ２とが代替的に設けられている。スイッチング素子ＳＥ２は、本実施形態では、位相導線Ｌに接続され、常時開接点として構成されている。これにより、位相導線Ｌの電位が、第２電気機械スイッチング素子により、無線受信機の入力Ｅに印加される。無線受信機は、出力Ａと関連して、上述した入力Ｅでの位相電位が予め設定可能な信号Ｓ１を用いて同等となるように構成されている。これにより、入ってくる位相電位は、受信された予め設定可能な第１の信号Ｓ１と同じ無線受信機内の評価結果を導く。上述したように、これは、無線受信機が第１スイッチング素子ＳＥ１により負荷を電気エネルギー源に連結させる結果となる。
【００６０】
空間に入ってきたときには電気負荷をオンにでき、空間に入っていないときには電気負荷を再びオフできるという利点が得られる。空間に入っていないときにスイッチング素子ＳＥ２の作動が忘れられたとき、存在検知器の計時要素は、予め設定可能な時間ｔが経過した後に照明を自動的に消す。予め設定可能な時間ｔが経過した後、無線受信機ＦＥは、端子Ａ及びこれと同様に負荷Ｖを電気エネルギー源Ｅから切り離す。
【００６１】
第２電気機械スイッチング素子ＳＥ２の上述した形態の代替的な形態は、瞬時接触スイッチである。本実施形態において、入力Ｅは、各切り換え処理の押操作時間のみ、位相導線Ｌの電位を受信する。この短いスイッチングパルスは、出力Ａの状態に応じて、無線受信機ＦＥにおいて評価される。すなわち、入力Ｅでの各スイッチングパルスは、出力Ａでの状態変化をもたらす。出力Ａでの電位がゼロのとき、入力Ｅでのスイッチングパルスは、位相導線Ｌの電位の電気負荷Ｖへの接続をもたらす。
【００６２】
図８は、エネルギー自立型無線スイッチＦＳＴを追加する点で、図６及び図７に示した実施形態に対して拡張された他の実施形態を示す。このエネルギー自立型無線スイッチＦＳＴは、力Ｆが作動要素ＢＥに働いたとき、電気機械エネルギー変換器ＥＭＷを同様に作動するように構成されている。作動要素ＢＥと電気機械エネルギー変換器ＥＭＷの機械的な連結により、入力された力Ｆは、少なくとも所定の程度まで電気エネルギーに変換される。第１の又は第２の予め設定可能な信号Ｓ１、Ｓ２は、この電気エネルギーを用いてそれぞれ送信される。このため、無線スイッチは、同様にこの電気エネルギーを用いて作動する少なくとも１つの制御回路５を備えている。少なくとも１つの第１の作動センサＢＴ１又は少なくとも１つの第２の作動センサＢＴ２は、この制御回路５にそれぞれ接続されている。作動要素ＢＥの作動方向に依存して、第１の又は第２の作動センサＢＴ１、ＢＴ２が検知する。作動方向はこのように決定できる。第１の作動センサＢＴ１が検知したとき、予め設定可能な第１の信号Ｓ１が送信される。第２の作動センサＢＴ２が検知したとき、第２の予め設定可能な信号Ｓ２が送信される。実際の例に移ると、無線スイッチは、ロッカーを備えたトグルスイッチと似ている。このロッカーは、“オン”用の第１スイッチング方向と、“オフ”用の第２スイッチング方向とを有する。この作動センサはそれぞれスイッチング方向を検知し、下流の制御回路５がこの情報を作動センサにより第２無線送信機ＦＳ２に送信するようにしている。第２無線送信機ＦＳ２は、この情報を無線信号により、第２無線送信機ＦＳ２に接続されたアンテナＡｎｔに送信する。接点を閉じることにより対応する情報を制御回路に利用可能とする単純な瞬時接触スイッチが、作動センサとして好ましい。この接触スイッチ自体は、エネルギー不要又は電位不要のスイッチング素子である。
【００６３】
表面波共振器１４が、周波数決定手段として第２無線送信機内に設けられている。無線スイッチは、既存の電気設備とは独立して、空間内の任意の場所に配置又は設置できるという利点を提供する。表面波共振器１４は、存在検知器のものと同様に構成できる。受信信号が存在検知器ＢＭ又は無線スイッチＦＳＴの何れから送信されたかを決定するために、無線受信機ＦＥでのキャリア周波数を区別する必要はない。
【００６４】
図８は、負荷をエネルギー源に連結するため又はエネルギー源の連結を制御するため、及び、存在が無く予め設定可能な時間が経過した場合に負荷をエネルギー源から切り離すための可能性のある変形を含んでいる。
【００６５】
図９は、図８のシステムと類似するシステムを表しているが、有線スイッチング素子ＳＥ２が除去されており、その機能は無線スイッチＦＳＤに引き継がれている。図９の実施形態は、有線スイッチング素子ＳＥ２がかなりの設備費用を必要とする設備に対して好ましく、これによりシステム全体としての機能を損なうことなく設備コストを節約できる。
【００６６】
図１０は、無線受信機ＦＥ及びその部品を模式的に示す。無線受信機ＦＥはエネルギー源Ｅと直接連結されており、電力供給装置ＰＵは交流電流によって入力された電気エネルギーを無線受信機ＦＥの電気部品用に適したＤＣ電圧に変換するようにしている。すなわち、無線受信機の無線モジュールは、制御装置ＳＴＥやスイッチング素子ＳＥ１と同様に、電力供給装置ＰＵにより電気エネルギーが供給される。受信した無線信号が無線モジュールＦに送られるアンテナＡｎｔが無線モジュールＦに連結される。無線モジュールＦは、無線信号を復調し、実際に送信される信号Ｓ１又はＳ２からキャリア周波数（carrier frequencies）を切り離し、信号Ｓ１又はＳ２を制御装置ＳＴＥに中継する。制御装置ＳＴＥは、入力信号Ｓ１又はＳ２を評価し、スイッチング信号を第1スイッチング素子ＳＥ１に送信する。スイッチング素子ＳＥ１は、リード接点（reed contact）又はリレー接点（relay contact）であってもよい。本実施形態では、接点の一端が電力送電線網の位相導線に連結され、接点の他端に電気負荷が接続されている。接点が閉じると、位相導線の電位が負荷に接続される。出力Ａにおいて接続されると共に電力送電線網の中性線に連結された電気負荷は、接点が閉じたときに電力送電線網により供給された電気エネルギーが利用可能となる。
【００６７】
図１１は、計時要素が無線受信機に連結された上述の実施形態による処理順序を模式的に示す。処理は、存在検知器により存在１１０が検知された任意の時点に開始する。この事象（event）は、存在検知器での内部処理を始動させ、その最後に第１の予め設定可能な無線信号Ｓ１を送信する。この無線信号は、無線受信機により受信される。無線信号の受信１３０は、無線受信機での内部処理を始動させる。これは、出力Ａのエネルギー源Ｅへの連結１５０と、これと並行して計時要素を“初期値”１４０を再設定することを本質的に含む。ここで、計時要素は、“最終値”の時点に達するか、第１の予め設定可能な無線信号の他の受信１３０によって“初期値”にリセットされるまで、予め設定可能な時間を計時し始める。“最終値”の時点に達すると、無線受信機での内部処理を開始し、その最後に電気エネルギー源が端子Ａ及び電気負荷Ｂから切り離される。
【００６８】
図１２は、計時要素が存在検知器に連結された上述の実施形態による処理順序を模式的に示す。
【００６９】
処理は、存在検知器ＢＭにより存在１１０が検知された任意の時点に開始する。この事象は、存在検知器ＢＭでの内部処理を始動させ、その最後に一方では第１の予め設定可能な無線信号Ｓ１を送信し、他方では計時要素が初期値１４０にリセットされる。ここで、“最終値”の時点に達するまで、又は、存在が再び検知されて計時要素が繰り返し“初期値”にリセットされるまで、計時要素は、予め設定可能な時間の作動を開始するか、経過時間を計算する。この無線信号は、無線受信機により受信される。無線信号Ｓ１の受信１３０は、無線受信機での内部処理を始動させる。これは、出力Ａのエネルギー源Ｅへの連結を含む。その間に、計時要素は、存在検知器ＢＭでの計時を続けて“最終値”１６０に達する。これは、存在検知器ＢＭでの内部処理を開始し、その再度に第２の予め設定可能な無線信号Ｓ２が送信される。無線受信機ＦＥが第２の予め設定可能な無線信号を受信すると、無線受信機での内部処理を開始し、その最後に電気エネルギー源が端子Ａ及びこれと同様に負荷Ｖから切り離される。第２信号Ｓ２が送信されると、存在検知器の全てのエネルギー消費部品（energy-intensive components）は不活性になり、又は、動力源が断たれる。
【符号の説明】
【００７０】
ＢＭ  存在検知器
ＦＥ  無線受信機
Ｅ  電気エネルギー源
Ｌ  位相導線
Ｎ  中性線
Ｖ  電気負荷
Ａ  電気負荷用端子
ＢＳ  存在検知センサ
ＳＥ１  第１スイッチング素子
３  記憶要素
１２  検知回路
Ｔ  計時要素
ＦＳ１  第１無線送信機
ＦＳ２  第２無線送信機
Ｓ１  第１所定信号
Ｓ２  第２所定信号
Ｔ  所定期間
ＳＥ２  電気機械スイッチング要素
ＳＴ  スイッチ位置
ＳＴ１  第１スイッチ位置
ＳＴ２  第２スイッチ位置
ＦＳＴ  無線スイッチ
ＢＥ  作動要素
ＥＭＷ  電気機械エネルギー変換器
ＢＴ１  第１駆動センサ
ＢＴ２  第２駆動センサ
ＰＵ  電源装置
５  制御回路
２  光起電要素
１４  表面波共振器
ＳＴＥ  制御電子回路
Ａｎｔ  アンテナ
１１０  存在を検知
１２０  無線信号発生
１３０  無線信号受信
１４０  ｔを開始に設定
１５０  ＡをＥに連結
１６０  ｔを最終値に
１７０  ＡをＥから切り離し
【図１】
0005384499.tif 000002
【図２】
0005384499.tif 000003
【図３】
0005384499.tif 000004
【図４】
0005384499.tif 000005
【図５】
0005384499.tif 000006
【図６】
0005384499.tif 000007
【図７】
0005384499.tif 000008
【図８】
0005384499.tif 000009
【図９】
0005384499.tif 000010
【図１０】
0005384499.tif 000011
【図１１】
0005384499.tif 000012
【図１２】
0005384499.tif 000013